(57)【特許請求の範囲】
【請求項１】
ファスナーテープＴの折曲縁部２４を補強する補強部２０，２１をそれぞれ箱棒２および蝶棒３とを熱可塑性樹脂により一体に成形し、該補強部２０，２１はファスナーテープＴの上面へ隆出する形で成形し、蝶棒３側の補強部２１は、先端が蝶棒３と平行状に突出する突出部３２を設け、突出部３２の内側縁は箱体１の蝶棒挿入孔６側の表面外側に設けた断面凸状の係止部１７と当接可能に形成してなることを特徴とする隠しスライドファスナーの開離嵌挿具。
【請求項２】
補強部２０，２１はファスナーテープＴの端部に配する支持部２２，２３と一体に成形し、補強部２０，２１は支持部２２，２３よりも表面へ隆出してなる請求項１記載の隠しスライドファスナーの開離嵌挿具。
【請求項３】
蝶棒３側の補強部２１の突出部３２は蝶棒３よりも短く先端が内側へ湾曲する湾曲部３３を設け、蝶棒３と補強部２１との間に断面コ字状の間隙部２６を設け、箱体１の切欠部１５およびスライダーＳのフランジＦが嵌入可能に形成してなる請求項１記載の隠しスライドファスナーの開離嵌挿具。
【請求項４】
箱体１の表面外側に設けた係止部１７は先端が内向するフック状の係止部１７に形成し、蝶棒３挿入時に補強部２１の湾曲部３３と当接可能に形成してなる請求項３記載の隠しスライドファスナーの開離嵌挿具。
【請求項５】
ファスナーチェンＣにおけるファスナーテープＴの接合端部をハの字状に切欠して切欠縁部２８を設け、この切欠縁部２８の周囲に箱棒２、補強部２０、支持部２２および蝶棒３、補強部２１、支持部２３を熱可塑性樹脂の一体成形で形成してなる請求項１記載の隠しスライドファスナーの開離嵌挿具。
【発明の詳細な説明】
【０００１】
【発明の属する技術分野】
この発明は、隠しタイプのスライドファスナーにおけるファスナーチェンの一端に取り付け、スライダーの開閉操作によって、閉鎖状のファスナーチェンを左右のファスナーストリンガに分離開放し、また開放状態のファスナーチェンを閉鎖させる機能を備えた箱体、箱棒、蝶棒から構成された隠しスライドファスナーの開離嵌挿具に関するものである。
【０００２】
【従来の技術】
従来、隠しスライドファスナーの開離嵌挿具において、箱体、箱棒、蝶棒の３部材から形成され、ファスナーテープの端部を熱可塑性樹脂を用いて補強部分を形成すると同時に、取り扱いが簡便な形態の箱棒、蝶棒を一体成形し、ファスナーテープに対する箱体の取り付け操作が簡便かつ的確に行え、蝶棒の取り付け部分が変形し難いスライドファスナーの開離嵌挿具が特開平１１−１５５６１６号公報（図９を参照）に開示されている。
【０００３】
【発明が解決しようとする課題】
前項で述べた隠しスライドファスナーの開離嵌挿具は、ファスナーテープに強力な横引き力が働くと蝶棒が箱体の挿入孔内で転がることがある。この現象はファスナーテープの折曲縁部分の剛性が不十分なところに起因する。たとえば図９からも明らかなとおり、ファスナーテープ支持部に対し、ファスナーテープの折曲縁部分が薄く形成されていることからも理解できるところである。
【０００４】
この発明は、この点を考慮して発明したものであり、請求項１記載の発明は、隠しスライドファスナーの開離嵌挿具における箱棒、蝶棒を取り付けたファスナーテープの折曲縁部を従来品よりも補強し、頑丈な開離嵌挿具を作製することによって、円滑かつ的確な開閉操作が行え、故障のない隠しスライドファスナーの開離嵌挿具を提供することが主たる目的である。
【０００５】
請求項２記載の発明は、請求項１記載の発明の目的に加え、箱体に対する蝶棒の嵌脱操作の際、ファスナーテープの端部に形成した支持部との関係を強化し、掴持し易く操作が容易に行える隠しスライドファスナーの開離嵌挿具を提供することが目的である。
【０００６】
請求項３および４記載の発明は、請求項１または３記載の発明の目的に加え、蝶棒側の補強部の形態を特定することによって、蝶棒の箱体への挿入操作が円滑に行え、かつ安定した状態で保持し、開離嵌挿具に横方向の外力、すなわち横引き力が加わったときに、蝶棒が蝶棒挿入孔内で転がることを防ぐことができる隠しスライドファスナーの開離嵌挿具を提供することが目的である。
【０００７】
請求項５記載の発明は、請求項１記載の発明の目的に加え、箱棒、蝶棒、それぞれの補強部、支持部をファスナーテープに対し、強固かつ効率よく成形固定することができる隠しスライドファスナーの開離嵌挿具を提供することが目的である。
【０００８】
【課題を解決するための手段】
前記の目的を達成するため、この発明のうち請求項１記載の発明は、隠しスライドファスナーの開離嵌挿具におけるファスナーテープＴの折曲縁部２４を補強し変形のない補強部２０，２１をそれぞれ箱棒２および蝶棒３とともに熱可塑性樹脂によって一体成形し、この補強部２０，２１はファスナーチェンＣの噛合時にファスナーテープＴの上面へ隆出する形態に成形し蝶棒３側の補強部２１は、先端が蝶棒３と平行状に突出する突出部３２を設け、この突出部３２の内側縁すなわち支持部２３側の縁部を箱体１の蝶棒挿入孔６側の表面外側にＬ字状に突設した断面凸状の係止部１７の内面と当接できるように形成した隠しスライドファスナーの開離嵌挿具を主な構成とするものである。
【０００９】
請求項２記載の発明は、請求項１記載の発明の構成に加え、ファスナーテープＴの折曲縁部２４に形成する補強部２０，２１は、ファスナーテープＴの端部に配設する掴持用の支持部２２，２３と一体に成形し、補強部２０，２１は支持部２２，２３よりも表面へ隆出する形態に形成した隠しスライドファスナーの開離嵌挿具である。
【００１０】
請求項３記載の発明は、請求項１記載の発明の構成に加え、蝶棒３側のファスナーテープＴの折曲縁部２４に形成する補強部２１は、蝶棒３よりも長さが短く先端がやや内側へ湾曲する湾曲部３３を形成し、蝶棒３と補強部２１との間に断面コ字状の間隙部２６を設け、この間隙部２６に箱体１に設けた切欠部１５およびスライダーＳのフランジＦが嵌入できる形態に形成した隠しスライドファスナーの開離嵌挿具である。
【００１１】
請求項４記載の発明は、請求項３記載の発明の構成に加え、開離嵌挿具の箱体１の表面において、蝶棒挿入孔６側の表面外方にフック状の係止部１７を挿入口側へ向けて突出するように設け、蝶棒３を挿入孔６へ挿入した時、補強部２１の湾曲部３３が当接できる形態に形成した隠しスライドファスナーの開離嵌挿具である。
【００１２】
請求項５記載の発明は、請求項１記載の発明の構成に加え、隠しファスナーチェンＣが噛合閉鎖されたとき、ファスナーテープＴの接合端部においてハの字状に切欠して切欠縁部２８を設け、この切欠縁部２８の周囲に箱棒２と補強部２０と支持部２２、および蝶棒３と補強部２１と支持部２３とを熱可塑性樹脂を用いて一体成形で成形した隠しスライドファスナーの開離嵌挿具である。
【００１３】
【発明の実施の形態】
以下、この発明の隠しスライドファスナーの開離嵌挿具の実施の形態について、図面を参照しながら具体的に説明する。
【００１４】
この発明の隠しスライドファスナーの開離嵌挿具は、図１に示すように箱体１、箱棒２、蝶棒３の３部材から構成され、箱体１、箱棒２、蝶棒３は、それぞれポリアミド、ポリアセタール、ポリプロピレン、ポリブチレンテレフタレートなどの熱可塑性樹脂を用いて射出成形する。箱棒２および蝶棒３は略角柱状を呈し、ファスナーテープＴの側縁に取り付けたファスナーエレメントＥに連接してファスナーテープＴの側縁に一体成形によって装着され、このときファスナーテープＴの折曲縁部２４のファスナーエレメントＥが取り付けられていない側の表面へ、箱棒２と一体に補強部２０を連結する形で成形し、かつ補強部２０に連接して横方向へ支持部２２を一体に成形する。
【００１５】
まず箱体１は図１に示すように、前壁８、背壁９、側壁１０からなる方形体の箱形を呈し、この箱体１の上面に開口する箱棒挿入孔５と蝶棒挿入孔６とを形成し、箱体１内の中央に、箱棒挿入孔５と蝶棒挿入孔６とを仕切る中仕切７を設け、中仕切７の箱棒挿入孔５側の上部に挿入孔５内へ突出する係止突部１１を設け、前壁８にはファスナーテープＴの折曲縁部２４を挿入可能な、箱棒挿入孔５に沿って連続し、挿入孔５と連通する開口部１４が設けられている。
【００１６】
また蝶棒挿入孔６側の前壁８の上方には、挿入孔６と連通し、ファスナーテープＴの折曲縁部２４が挿入される切欠部１５が設けられ、前壁８の下方の蝶棒挿入孔６側に上方へフック状に突出する係止部１７、また箱棒挿入孔５側の前壁８には係止部１７から下部へ落ち込んで突出する平坦な当接部１６が設けられている。この係止部１７には蝶棒３と一体に成形した補強部２１の先端に設けた湾曲部３３が係止する。また当接部１６には箱棒２と一体に成形した補強部２０の水平な下端面が当接する。さらに中仕切７の係止突部１１には箱棒２に設けた係止舌片２７が係止して固定する。
【００１７】
箱棒２の前面すなわち蝶棒３と対向する側に、下端側から上方へ向けて突出し、かつ前面へ向けて傾斜する係止舌片２７を設ける。そして図８に示すように箱棒２と補強部２０との間にスライダーＳのフランジＦの厚さよりも広い間隙部２５を設ける。補強部２０は図８に示すようにファスナーテープＴの表面へ隆出する形に形成し、分厚い補強部２０が形成され、ファスナーテープＴの折曲縁部２４を補強している。この隆出した補強部２０に連接して表面が一段と落ち込んでファスナーテープＴを容易に掴持できる支持部２２を一体に成形する。なお箱棒２、補強部２０、支持部２２を一体成形する際、図２に示すようにファスナーテープＴの隅角部分を切欠して切欠縁部２８を設け、この切欠縁部２８の周囲に箱棒２、補強部２０、支持部２２を成形すると強固な製品となる。また補強部２０と支持部２２の連結基部に湾曲する縁を有した凹部２９が形成され、開離嵌挿具に横方向の外力が加わったときに補強部２０と支持部２２との境に加わる応力を分散させ、破損を防ぐ。また箱棒２と補強部２０の基部には抜孔３０が設けられている。
【００１８】
箱体１と箱棒２を装着するには、図３に示すように箱棒２を箱体１の箱棒挿入孔５に強く差し込むと係止舌片２７が係止突部１１と係止して固定される。このとき箱棒２と補強部２０の間に形成された間隙部２５は箱体１の開口部１４に沿って挿入され、補強部２０の下端が当接部１６に衝合して安定した状態で固定される。なお箱棒挿入孔５の前壁８に小突起１９を設けることは、箱棒２と補強部２０を箱体１に挿入後、超音波加工によって補強部２０と前壁８とを溶着する際、好都合である。
【００１９】
一方、蝶棒３は図４，５に示すようにファスナーテープＴのファスナーエレメントＥに連接して蝶棒３を設け、この蝶棒３に連結してファスナーテープＴの折曲縁部２４の上面に補強部２１を表面へ隆出する状態で成形し、かつ補強部２１に連接して表面が一段と落ち込んでファスナーテープＴを容易に掴持できる支持部２３を一体に成形する。箱棒２の場合と同様にファスナーテープＴの隅角部分を図４に示すように切欠して切欠縁部２８を設け、この切欠縁部２８の周囲に蝶棒３、補強部２１、支持部２３を成形することにより強固な製品となる。
【００２０】
蝶棒３と補強部２１とは図５に示すように一体であり、蝶棒３と補強部２１との間にスライダーＳのフランジＦの厚みよりも広い断面コ字状の間隙部２６を設け、補強部２１は、蝶棒３よりも長さが短く形成して突出部３２を設け、この突出部３２の先端をやや内側へ湾曲させて湾曲部３３を形成し、かつ湾曲部３３の基部で支持部２３との連結部分に湾曲する縁を有した凹部３４を形成して、前記凹部２９と同様の機能を具有する。
【００２１】
蝶棒３は図６に示すように、スライダーＳの内部を挿通させた後に箱体１の蝶棒挿入孔６に差し込む。この際、箱体１の上面が傾斜した斜面部１８に形成されているので箱体１の上面に当接するスライダーＳが傾き、挿入操作が容易にできる。蝶棒３の挿入が終ると図７に示すように、蝶棒３の補強部２１の先端における湾曲部３３は、箱体１の表面に設けたフック状の係止部１７に係止して、開離嵌挿具に横方向の外力が加わったときに蝶棒３が挿入孔６内で転がるのを未然に防ぐことができるように形成されている。
【００２２】
箱体１の係止部１７と蝶棒３の補強部２１との変形例を示すと、図９に示すように、蝶棒３における補強部２１の先端は、蝶棒３と平行状に突出して突出部３２を設け、この突出部３２の内側縁は先端に向けて直線状に細く延び、また箱体１の表面に設ける係止部１７は、蝶棒挿入孔６側の外側に断面凸状でＬ字状に突設し、この係止部１７の内面と補強部２１の突出部３２の側縁とが当接できるように形成し、突出部３２と係止部１７とが当接することにより、蝶棒３が蝶棒挿入孔６内において、横方向の引張力が加わっても転動することがない。
【００２３】
【発明の効果】
この発明の隠しスライドファスナーの開離嵌挿具は、以上説明したとおりの構成であり、この構成によって下記の効果を奏するものである。
【００２４】
この発明のうち請求項１記載の発明は、ファスナーテープの折曲縁部を補強する補強部をそれぞれ箱棒および蝶棒とを熱可塑性樹脂により一体に成形し、補強部はファスナーテープの上面へ隆出する形で成形したことによって、ファスナーテープの上面へ隆出する形で成形したことによって、ファスナーテープの折曲縁部を箱棒および蝶棒と一体成形の補強部により補強し、箱棒、蝶棒を安定した状態に保持でき、しかも簡単な構造で蝶棒が蝶棒挿入孔内で転ぶのを阻止し、開離嵌挿操作が容易かつ円滑に行え、耐久性のある扱い易い開離嵌挿具に仕上げることができる効果がある。
【００２５】
請求項２記載の発明は、請求項１記載の発明の効果に加え、補強部はファスナーテープの端部に配する支持部と一体に成形し、補強部は支持部よりも表面へ隆出させたことによって、補強部をファスナーテープの端部に安定した状態で確保でき、しかも掴み易く感触のよい開離嵌挿具に仕上げられる効果がある。
【００２６】
請求項３記載の発明は、請求項１記載の発明の効果に加え、蝶棒側の補強部は蝶棒よりも短く先端が内側へ湾曲する湾曲部を設け、蝶棒と補強部との間に断面コ字状の間隙部を設け、箱体の切欠部およびスライダーのフランジが嵌入可能に形成したことによって、蝶棒の箱体への挿入操作を円滑にガイドさせることができる効果がある。
【００２７】
請求項４記載の発明は、請求項３記載の発明の効果に加え、箱体の表面であって蝶棒挿入孔側の外方にフック状の係止部を挿入口側へ向けて突設し、蝶棒挿入時に補強部の湾曲部と当接可能に形成したことによって、蝶棒を箱体へ挿入した状態で開離嵌挿具に横方向の外力が加わったときに、蝶棒が抜脱方向への移動を阻止し、かつ挿入孔内で転ぶのを未然に防ぎ、安定した状態で保持できる効果がある。
【００２８】
請求項５記載の発明は、請求項１記載の発明の効果に加え、ファスナーチェンにおけるファスナーテープの接合端部をハの字状に切欠して切欠縁部を設け、この切欠縁部の周囲に箱棒、補強部、支持部および蝶棒、補強部、支持部を熱可塑性樹脂の一体成形で形成したことによって、箱棒、補強部、支持部および蝶棒、補強部、支持部を強固にファスナーテープに成形し固定して品質のよい製品に仕上げることができ、しかも効率のよい成形ができる効果があるなど、この発明が奏する効果はきわめて顕著である。
【図面の簡単な説明】
【図１】  隠しスライドファスナーの開離嵌挿具の分解斜視図である。
【図２】  箱棒側の正面図である。
【図３】  箱体と箱棒をセットした正面図である。
【図４】  蝶棒側の正面図である。
【図５】  同上の側面図である。
【図６】  開離嵌挿具の使用態様を示す断面図である。
【図７】  同上の正面図である。
【図８】  同上の図７におけるＡ−Ａ断面図である。
【図９】  開離嵌挿具の変形例を示す正面図である。
【図１０】  公知の開離嵌挿具の断面図である。
【符号の説明】
１        箱体
２        箱棒
３        蝶棒
５        箱棒挿入孔
６        蝶棒挿入孔
７        中仕切
１１        係止突部
１４        開口部
１５        切欠部
１６        当接部
１７        係止部
２０        補強部（箱棒側）
２１        補強部（蝶棒側）
２２        支持部（箱棒側）
２３        支持部（蝶棒側）
２４        折曲縁部
２５        間隙部（箱棒側）
２６        間隙部（蝶棒側）
２７        係止舌片
２８        切欠縁部
３２ 突出部
３３        湾曲部
Ｃ          ファスナーチェン
Ｔ          ファスナーテープ
Ｓ          スライダー
Ｆ          フランジ
【図１】
0003733327.tif 000002
【図２】
0003733327.tif 000003
【図３】
0003733327.tif 000004
【図４】
0003733327.tif 000005
【図５】
0003733327.tif 000006
【図６】
0003733327.tif 000007
【図７】
0003733327.tif 000008
【図８】
0003733327.tif 000009
【図９】
0003733327.tif 000010
【図１０】
0003733327.tif 000011